(57)【要約】  【課題】  貯留供給部材内の遊技球の重量を適当に分散させて支持できる簡易な支持構造を有する遊技機を提供する。  【解決手段】  賞球タンク２１の底面部５１及び各取付部５３の前面側端縁部２１Ａの左右方向全幅に渡って、下側方向に所定長さ延出された延出部５５が形成されている。また、この延出部５５の各貫通孔４５の下側内側面４５Ａに対向する部分から前側方向に所定長さ延出後、更に略直角下側方向に延出部５５の下端縁部に対向する高さまで延出された嵌合部５６が設けられている。そして、賞球タンク２１は、嵌合部５６を機構セット盤２０の各貫通孔４５に挿入し、該嵌合部５６と延出部５５とによって形成される側面視略コの字形の部分を各貫通孔４５の前後端面部を挟むように差し込み、各取付ボス４６を介してネジ止めすることによって機構セット盤２０に取り付けられる。  【選択図】  図７
2005065802.tif 000002
【特許請求の範囲】
【請求項１】
補給装置から落下する遊技球を受けて貯留し供給する貯留供給部材と、遊技機の裏面側に配設されて前記貯留供給部材が背面上方部に取り付けられる機構セット部材と、を備えた遊技機において、
前記貯留供給部材は、前記機構セット部材に対向する前面側端縁部の左右方向全幅に渡って設けられる下側支持部を有し、
前記機構セット部材は、前記下側支持部に対向する位置に形成される保持部を有し、
前記貯留供給部材は、前記下側支持部が前記保持部によって支持されることを特徴とする遊技機。
【請求項２】
前記保持部は、前記下側支持部に対向する位置に穿設される第１貫通孔を有し、
前記下側支持部は、前記第１貫通孔に挿入される第１挿入部を有し、
前記第１挿入部は、該第１貫通孔の内側面に当接されることを特徴とする請求項１に記載の遊技機。
【請求項３】
前記第１挿入部は、下側方向に開口する側面視略コの字形に形成される嵌合部を有し、
前記嵌合部は、前記第１貫通孔の両端面部を挟むように該第１貫通孔に挿入されることを特徴とする請求項２に記載の遊技機。
【請求項４】
前記保持部は、裏面側方向に立設されて上下方向に貫通する第２貫通孔が穿設される第１突出部を有し、
前記下側支持部は、下端面から下側方向に延出されて前記第２貫通孔に上方向から挿入される第２挿入部を有し、
前記下側支持部は、前記第１突出部によって支持されることを特徴とする請求項１に記載の遊技機。
【請求項５】
前記保持部は、遊技機の裏面側方向に立設される第２突出部を有し、
前記下側支持部は、前記前面側端縁部から下方に延出される第１延出部を有し、
前記第１延出部は、前記第２突出部によって下端面部が支持されることを特徴とする請求項１に記載の遊技機。
【請求項６】
前記第２突出部は、後側端縁部から略直角上方向に延出される第１止め部を有することを特徴とする請求項５に記載の遊技機。
【請求項７】
前記保持部は、遊技機の前面側方向に突出するように形成される溝部と、
前記溝部の後側下端縁部に上側方向に所定高さ延出される第２止め部と、を有し、
前記下側支持部は、下方に延出される第２延出部と、
前記第２延出部の下端縁部から略直角前側方向に延出される第３延出部と、
前記第３延出部の前側端縁部から下側方向に延出される第４延出部とを有し、
前記第３延出部及び第４延出部は、前記溝部内に挿入され、該溝部の内側面によって第４延出部の下端部が支持されることを特徴とする請求項１に記載の遊技機。
【請求項８】
前記貯留供給部材は、平面視左右方向に長い略長四角形の底面部と、
前記底面部の前記機構セット部材に対向しない三辺から上方に延出される水平視略コの字形の側壁部と、を有することを特徴とする請求項１乃至請求項７のいずれかに記載の遊技機。
【発明の詳細な説明】
【技術分野】
【０００１】
本発明は、機構セット部材の背面上方部に、補給装置から落下する遊技球を受けて貯留し供給する貯留供給部材が取り付けられた遊技機に関するものである。
【背景技術】
【０００２】
従来より、機構セット部材の背面上方部に、補給装置から落下する遊技球を受けて貯留し供給する貯留供給部材が取り付けられた遊技機に関し種々提案されている。
例えば、前枠の後側に、該前枠に装着された遊技盤を後側から押さえる裏セット板（機構セット部材に相当する。）を開閉自在に装着すると共に、この裏セット板の後側上部に賞球タンク（貯留供給部材に相当する。）を設けた弾球遊技機において、前枠側から後方に突出し且つ係止部を有する係止具と、裏セット板及び賞球タンクに形成され且つ裏セット板の開閉時に係止具に対して嵌脱する嵌脱孔とを備え、係止部が裏セット板及び賞球タンクの嵌脱孔に嵌脱する嵌脱位置と、係止部が嵌脱孔に嵌合した状態で裏セット板及び賞球タンクを係止する係止位置との間で係止具を前後軸廻りに回動操作可能に設けた弾球遊技機がある（例えば、特許文献１参照。）。
これにより、係止具を回動操作するだけで賞球タンクを何ら操作することなく裏セット板を容易に開閉でき、しかも裏セット板の閉状態では、裏セット板と共に賞球タンクを容易且つ堅固に固定できる
ここで、従来の上記弾球遊技機を構成する裏セット板は、後記の特許文献１の図７に記載の裏セット板１２に相当する。また、該弾球遊技機を構成する賞球タンクは、後記特許文献１の図７に記載の賞球タンク１６に相当する。
【特許文献１】特開平８−２６６７２７号公報（段落（００１６）〜（００３８）、図１〜図８）
【発明の開示】
【発明が解決しようとする課題】
【０００３】
しかしながら、上述した弾球遊技機では、賞球タンク内の遊技球が多い場合には、係止具を容易に回動させることができず、裏セット板及び賞球タンクの係止状態を解除する操作が煩雑であるという問題がある。
【０００４】
そこで、本発明は、上述した問題点を解決するためになされたものであり、係止具を廃止することができると共に、該係止具を廃止しても貯留供給部材内の遊技球の重量を適当に分散させて支持できる簡易な支持構造を有する遊技機を提供することを目的とする。また、貯留供給部材内の遊技球の重量を適当に分散させて支持できるため、貯留供給部材の撓み変形量などを小さくすることができると共に、機構セット部材及び貯留供給部材の耐久性の向上を図ることができる遊技機を提供することを目的とする。
【課題を解決するための手段】
【０００５】
前記目的を達成するため請求項１に係る遊技機は、補給装置から落下する遊技球を受けて貯留し供給する貯留供給部材と、遊技機の裏面側に配設されて前記貯留供給部材が背面上方部に取り付けられる機構セット部材と、を備えた遊技機において、前記貯留供給部材は、前記機構セット部材に対向する前面側端縁部の左右方向全幅に渡って設けられる下側支持部を有し、前記機構セット部材は、前記下側支持部に対向する位置に形成される保持部を有し、前記貯留供給部材は、前記下側支持部が前記保持部によって支持されることを特徴とする。
【０００６】
このような特徴を有する請求項１に係る遊技機においては、補給装置から落下する遊技球を受けて貯留し供給する貯留供給部材の前面側端縁部には、該前面側端縁部の左右方向全幅に渡って下側支持部が設けられている。また、機構セット部材のこの下側支持部に対向する位置には、保持部が形成されている。そして、該貯留供給部材の下側支持部が機構セット部材の保持部によって支持されるように構成されている。
【０００７】
また、請求項２に係る遊技機は、請求項１に記載の遊技機において、前記保持部は、前記下側支持部に対向する位置に穿設される第１貫通孔を有し、前記下側支持部は、前記第１貫通孔に挿入される第１挿入部を有し、前記第１挿入部は、該第１貫通孔の内側面に当接されることを特徴とする。
【０００８】
このような特徴を有する請求項２に係る遊技機では、補給装置から落下する遊技球を受けて貯留し供給する貯留供給部材の前面側端縁部には、該前面側端縁部の左右方向全幅に渡って下側支持部が設けられている。また、機構セット部材のこの下側支持部に対向して設けられる保持部には、第１貫通孔が穿設されている。また、この下側支持部には、第１貫通孔に挿入される第１挿入部が設けられて、この第１挿入部が第１貫通孔の内側面に当接されることによって支持されるように構成されている。
【０００９】
また、請求項３に係る遊技機は、請求項２に記載の遊技機において、前記第１挿入部は、下側方向に開口する側面視略コの字形に形成される嵌合部を有し、前記嵌合部は、前記第１貫通孔の両端面部を挟むように該第１貫通孔に挿入されることを特徴とする。
【００１０】
このような特徴を有する請求項３に係る遊技機では、補給装置から落下する遊技球を受けて貯留し供給する貯留供給部材の前面側端縁部には、該前面側端縁部の左右方向全幅に渡って下側支持部が設けられている。また、機構セット部材のこの下側支持部に対向する位置には、第１貫通孔が穿設されている。また、この下側支持部には、第１貫通孔に挿入される第１挿入部が設けられると共に、この第１挿入部には、下側方向に開口する側面視略コの字形の嵌合部が形成されている。そして、下側支持部の第１挿入部を第１貫通孔に挿入した場合には、該嵌合部が第１貫通孔の両端面部を挟むように構成されている。
【００１１】
また、請求項４に係る遊技機は、請求項１に記載の遊技機において、前記保持部は、裏面側方向に立設されて上下方向に貫通する第２貫通孔が穿設される第１突出部を有し、前記下側支持部は、下端面から下側方向に延出されて前記第２貫通孔に上方向から挿入される第２挿入部を有し、前記下側支持部は、前記第１突出部によって支持されることを特徴とする。
【００１２】
このような特徴を有する請求項４に係る遊技機では、補給装置から落下する遊技球を受けて貯留し供給する貯留供給部材の前面側端縁部には、該前面側端縁部の左右方向全幅に渡って下側支持部が設けられている。また、機構セット部材のこの下側支持部に対向して設けられる保持部には、裏面側方向に立設されて上下方向に貫通する第２貫通孔が穿設される第１突出部が設けられている。また、この下側支持部の下端面には、下側方向に延出されて、第１突出部の第２貫通孔に上方向から挿入される第２挿入部が設けられている。そして、貯留供給部材の下側支持部は、この第２挿入部を第１突出部の第２貫通孔に上方向から挿入することによって支持されるように構成されている。
【００１３】
また、請求項５に係る遊技機は、請求項１に記載の遊技機において、前記保持部は、遊技機の裏面側方向に立設される第２突出部を有し、前記下側支持部は、前記前面側端縁部から下方に延出される第１延出部を有し、前記第１延出部は、前記第２突出部によって下端面部が支持されることを特徴とする。
【００１４】
このような特徴を有する請求項５に係る遊技機では、補給装置から落下する遊技球を受けて貯留し供給する貯留供給部材の前面側端縁部には、該前面側端縁部の左右方向全幅に渡って下方に第１延出部が延出される下側支持部が設けられている。また、機構セット部材のこの下側支持部に対向して設けられる保持部には、遊技機の裏面側方向に第２突出部が立設されている。そして、貯留供給部材の下側支持部は、この第１延出部の下端面部が第２突出部によって支持されるように構成されている。
【００１５】
また、請求項６に係る遊技機は、請求項５に記載の遊技機において、前記第２突出部は、後側端縁部から略直角上方向に延出される第１止め部を有することを特徴とする。
【００１６】
このような特徴を有する請求項６に係る遊技機では、第２突出部の後側端縁部から略直角上方向に第１止め部が延出され、該第２突出部によって支持される第１延出部に対向するように構成されている。
【００１７】
また、請求項７に係る遊技機は、請求項１に記載の遊技機において、前記保持部は、遊技機の前面側方向に突出するように形成される溝部と、前記溝部の後側下端縁部に上側方向に所定高さ延出される第２止め部と、を有し、前記下側支持部は、下方に延出される第２延出部と、前記第２延出部の下端縁部から略直角前側方向に延出される第３延出部と、前記第３延出部の前側端縁部から下側方向に延出される第４延出部とを有し、前記第３延出部及び第４延出部は、前記溝部内に挿入され、該溝部の内側面によって第４延出部の下端部が支持されることを特徴とする。
【００１８】
このような特徴を有する請求項７に係る遊技機では、補給装置から落下する遊技球を受けて貯留し供給する貯留供給部材の前面側端縁部には、該前面側端縁部の左右方向全幅に渡って下側支持部が設けられている。また、機構セット部材のこの下側支持部に対向して設けられる保持部には、遊技機の前面側方向に突出するように溝部が形成され、また、この溝部の後側下端縁部には、第２止め部が上側方向に所定高さ延出されている。また、下側支持部には、第２延出部が下方に延出され、また、この第２延出部の下端縁部から略直角前側方向に第３延出部が延出され、更に、この第３延出部の前側端縁部から下側方向に第４延出部が延出されており、該第３延出部及び第４延出部は、機構セット部材の溝部内に挿入されるように構成されている。そして、貯留供給部材の下側支持部は、該溝部の内側面によって第４延出部の下端部が支持されるように構成されている。
【００１９】
更に、請求項８に係る遊技機は、請求項１乃至請求項７のいずれかに記載の遊技機において、前記貯留供給部材は、平面視左右方向に長い略長四角形の底面部と、前記底面部の前記機構セット部材に対向しない三辺から上方に延出される水平視略コの字形の側壁部と、を有することを特徴とする。
【００２０】
このような特徴を有する請求項８に係る遊技機では、貯留供給部材は、平面視左右方向に長い略長四角形の底面部と、この底面部の機構セット部材に対向しない三辺から上方に延出される水平視略コの字形の側壁部とから形成される。また、貯留供給部材の支持部は、底面部の機構セット部材に対向する部分の左右方向全幅に渡って設けられている。
【発明の効果】
【００２１】
請求項１に係る遊技機では、遊技球を貯留し供給する貯留供給部材の前面側端縁部の左右方向全幅に渡って設けられた下側支持部が機構セット部材の保持部によって支持されるため、該貯留供給部材内の遊技球の重量を下側支持部を介して適当に分散させて支持できるため、貯留供給部材の撓み変形量などを小さくすることができると共に、機構セット部材及び貯留供給部材の耐久性の向上を図ることができる。
【００２２】
また、請求項２に係る遊技機では、遊技球を貯留し供給する貯留供給部材の前面側端縁部の左右方向全幅に渡って設けられた下側支持部に形成された第１挿入部が、機構セット部材の保持部に穿設される第１貫通孔に挿入され、補給装置から貯留供給部材に遊技球が補給された場合には、この第１挿入部が第１貫通孔の内側面に当接されることによって支持されるため、該貯留供給部材内の遊技球の重量を下側支持部の第１挿入部を介して適当に分散させて支持でき、貯留供給部材の撓み変形量などを小さくすることができると共に、機構セット部材及び貯留供給部材の耐久性の向上を図ることができる。また、貯留供給部材の下側支持部に第１挿入部を設け、該第１挿入部を機構セット部材の第１貫通孔に挿入する簡易な支持構造で該貯留供給部材内の遊技球の重量を適当に分散させて支持できるため、製造コストの削減化及び組み立て作業の効率化を図ることができる。
【００２３】
また、請求項３に係る遊技機では、遊技球を貯留し供給する貯留供給部材の前面側端縁部の左右方向全幅に渡って設けられた下側支持部に形成された第１挿入部が、機構セット部材の保持部に穿設される第１貫通孔に挿入された場合には、この第１挿入部に形成される下側方向に開口する側面視略コの字形の嵌合部が、第１貫通孔の両端面部を挟むため、該貯留供給部材内の遊技球の重量を下側支持部の嵌合部を介して適当に分散させて支持でき、貯留供給部材の撓み変形量などを小さくすることができると共に、該嵌合部が第１貫通孔内に固定され、該貯留供給部材の前面側端縁部と機構セット部材との間に隙間が形成されるの確実に防止することができる。
【００２４】
また、請求項４に係る遊技機では、遊技球を貯留し供給する貯留供給部材の前面側端縁部の左右方向全幅に渡って設けられた下側支持部は、機構セット部材の裏面側方向に立設されて上下方向に貫通する第２貫通孔が穿設される第１突出部によって支持されるため、該貯留供給部材内の遊技球の重量を下側支持部を介して適当に分散させて支持でき、貯留供給部材の撓み変形量などを小さくすることができると共に、機構セット部材及び貯留供給部材の耐久性の向上を図ることができる。また、下側支持部の下端面から下側方向に延出される第２挿入部は、機構セット部材の第１突出部の第２貫通孔に上方向から挿入されるため、該貯留供給部材の前面側端縁部と機構セット部材との間に隙間が形成されるの確実に防止することができる。また、貯留供給部材の下側支持部に第２挿入部を設け、機構セット部材の裏面側方向に第２貫通孔が穿設される第１突出部を立設する簡易な支持構造で該貯留供給部材内の遊技球の重量を適当に分散させて支持できるため、製造コストの削減化及び組み立て作業の効率化を図ることができる。
【００２５】
また、請求項５に係る遊技機では、遊技球を貯留し供給する貯留供給部材の前面側端縁部の左右方向全幅に渡って下方に延出される第１延出部の下端面部が、機構セット部材の遊技機の裏面側方向に立設される第２突出部によって支持されるされるため、該貯留供給部材内の遊技球の重量を該第１延出部を介して適当に分散させて支持でき、貯留供給部材の撓み変形量などを小さくすることができると共に、機構セット部材及び貯留供給部材の耐久性の向上を図ることができる。また、貯留供給部材の前面側端縁部の左右方向全幅に渡って下方に延出される第１延出部の下端面部が、機構セット部材の遊技機の裏面側方向に立設される第２突出部によって支持される簡易な支持構造で該貯留供給部材内の遊技球の重量を適当に分散させて支持できるため、製造コストの削減化及び組み立て作業の効率化を図ることができる。
【００２６】
また、請求項６に係る遊技機では、第２突出部の後側端縁部から略直角上方向に第１止め部が延出され、該第２突出部によって支持される第１延出部に対向するように構成されているため、該第１延出部の前後方向の移動量を規制することができ、該貯留供給部材の前面側端縁部と機構セット部材との間に隙間が形成されるの確実に防止することができる。
【００２７】
また、請求項７に係る遊技機では、遊技球を貯留し供給する貯留供給部材の前面側端縁部の左右方向全幅に渡って下方に延出される第２延出部、第３延出部及び第４延出部のうち機構セット部材の溝部内に挿入される第３延出部及び第４延出部が該溝部の内側面によって支持されるため、該貯留供給部材内の遊技球の重量を該第２延出部、第３延出部及び第４延出部を介して適当に分散させて支持でき、貯留供給部材の撓み変形量などを小さくすることができると共に、機構セット部材及び貯留供給部材の耐久性の向上を図ることができる。また、貯留供給部材の前面側端縁部の左右方向全幅に渡って下方に延出される第３延出部及び第４延出部が機構セット部材の溝部内に挿入されて支持される簡易な支持構造で該貯留供給部材内の遊技球の重量を適当に分散させて支持できるため、製造コストの削減化及び組み立て作業の効率化を図ることができる。また、機構セット部材の溝部内に挿入された貯留供給部材の前面側端縁部の左右方向全幅に渡って下方に延出される第３延出部及び第４延出部は、該溝部の後側下端縁部から上側方向に所定高さ延出される第２止め部によって後側方向への移動量が規制されるため、該貯留供給部材の前面側端縁部と機構セット部材との間に隙間が形成されるの確実に防止することができる。
【００２８】
更に、請求項８に係る遊技機では、貯留供給部材は、平面視左右方向に長い略長四角形の底面部と、この底面部の機構セット部材に対向しない三辺から上方に延出される水平視略コの字形の側壁部とから形成されるため、該貯留供給部材を樹脂成形によって容易に形成することができ、製造コストの削減化を図ることができる。また、機構セット部材側の側壁部がないため、機構セット部材と貯留供給部材との取り付け位置関係の位置精度を低くすることが可能となり、遊技機の製造コストの削減化及び組立作業効率の向上を図ることができる。
【発明を実施するための最良の形態】
【００２９】
以下、本発明に係る遊技機をパチンコ機について具体化した第１実施形態乃至第７実施形態を図面を参照して詳細に説明する。
【実施例１】
【００３０】
先ず、第１実施形態に係るパチンコ機の概略構成について図１及び図２に基づき説明する。
図１及び図２に示すように、第１実施形態に係るパチンコ機は、所定量のパチンコ球を賞球として払い出す、いわゆる第１種パチンコ機で、一般にＣＲ機（カードリーディング機）と称され、パチンコ機１とカード式球貸機３５とによって構成され、これらは対をなして設置される。パチンコ機１は、木製の外枠２に対して木製の内枠３が、内枠取付用ヒンジを構成する上ヒンジ４及び下ヒンジ５を介して外枠２に対して開閉自在に取り付けられている。そして、この内枠３のほぼ上半分の前側には、合成樹脂製の前面カバー部材７が左端縁部の上下を軸支されて開閉自在に取付けられている。また、この前面カバー部材７のほぼ中央部には略円形の窓部（不図示）が開設され、この窓部の外周縁部に形成されるガラス保持枠に装着された２枚のガラスを通して遊技領域を見ることができるように構成されている。また、前面カバー部材７の窓部の上側及び両肩部には、フルカラーの発光ダイオード（ＬＥＤ）が内蔵され、「当たり」等の発生を報知したり遊技中に光演出や遊技中のエラーを表示する電飾ランプ８が取付けられている。
【００３１】
また、この前面カバー部材７の下側には、パチンコ球の払い出しを調節する払い出しステッピングモータ等が内装された賞球ケース１０を介して払い出される賞球を受ける上皿１１が合成樹脂製プレート１２に配設されている。また、このプレート１２は、左端縁部の上下を軸支されて、前面カバー部材７を開放後、内側に設けられた不図示のレバーを下げることにより開放できるように取付けられている。また、この上皿１１の中央前面部には、カード式球貸機３５の操作ボタン及びカード残高表示装置（不図示）が設けられている。そして、その上皿１１の下には、下皿１４が配設される。また、上皿１１に連通する不図示の球送り機構を介して上皿１１のパチンコ球が操作ハンドル１５に連結された発射装置１６へ送られるよう構成されている。
【００３２】
また、この内枠３のほぼ中央部には不図示の遊技盤が着脱自在なように鉄板等の金属製の機構盤１８に取り付けられている。そして、この機構盤１８の裏側には合成樹脂製の機構セット盤２０が開閉自在に蝶番により取り付けられている。
また、パチンコ機１の裏側の背面上方部には、上方に開口した賞球タンク２１が機構セット盤２０に固定されている。賞球タンク２１の直上には補給装置２２が配設され、吐出部２２Ａが垂直に降りている。賞球タンク２１は、傾斜した底面に切欠部５４（図５参照）が形成され、該切欠部５４は機構セット盤２０の背面部と協働して連通孔を形成する。また、この連通孔の下方にはパチンコ球を２列に整列流出し、賞球ケース１０にパチンコ球を送る通路を形成するタンクレール２３が取付けられている。
【００３３】
また、賞球ケース１０へパチンコ球を案内する賞球案内部２４内には、タンクレール２３の下流側のパチンコ球を送る２列の賞球通路が形成されている。
また、賞球ケース１０内には、賞球案内部２４内の賞球通路を通過するパチンコ球を確認する球有り検出スイッチやパチンコ球の払い出しを調節する払い出しステッピングモータが内装されている。そして、これら賞球タンク２１、タンクレール２３、賞球案内部２４、賞球ケース１０等により賞球及び貸球の払い出しシステムが構成されている。
そして、賞球ケース１０の下流側には、賞球を上皿１１に案内する不図示の賞球案内通路部や、賞球タンク２１やタンクレール２３内のパチンコ球を抜くための不図示の球抜き通路部などが形成されている。また、該賞球ケース１０の下方には、上皿１１から溢れて賞球案内通路部を流れた賞球を下部受皿ボックス２８まで案内する下皿排出路２７が形成されている。この下皿排出路２７の下端部には賞球を受けて下皿１４に案内する下部受皿ボックス２８が内枠３の裏側に取り付けられている。また、この下皿排出路２７の横側（図１中、左側）には、入賞球を排出する入賞球排出通路２６が形成されている。
【００３４】
また、タンクレール２３の下側には液晶表示装置（ＬＣＤ）等をカバーする合成樹脂製のセンターカバー３０が取付けられている。そして、このセンターカバー３０の背面部内側には、ＬＣＤ等を駆動制御する表示制御基板３０Ａ、スピーカ等を駆動制御する音制御基板３０Ｂ、及び電飾ランプ８等を駆動制御するランプ制御基板３０Ｃが取り付けられている。また、センターカバー３０の下側には、パチンコ機１の遊技動作を制御する主基板が内蔵される基板ケース３１が配設されている。また、この基板ケース３１の右下には電源基板が内蔵される電源基板ケース３２が配設されている。また、この電源基板ケース３２の上方に配設されるインタフェース基板３３とカード式球貸機３５の背面のコネクタ３６とは、接続コード３７により相互に接続されている。
さらに、機構セット盤２０の上方角部（図１中、右上角部）には、中継基板３９が設けられている。この中継基板３９は、パチンコ機１とホールコンピュータをつなぐ基板である。
【００３５】
次に、機構セット盤２０の概略構成について図３及び図４に基づいて説明する。
図３及び図４に示すように、機構セット盤２０は、機構盤１８に取り付けられた不図示の遊技盤の裏面に対向する部分に略四角形の開口部２０Ａが開設されている。また、開口部２０Ａの左側の背面部には、センターカバー３０を取り付けるための各取付ボス２５が裏側方向に立設され、この各取付ボス２５にはネジ孔が形成されている。
また、開口部２０Ａの上側の背面部には、左右方向にほぼ等間隔で断面略Ｌ字形の各係合爪Ｓが裏側方向に立設されている。そして、タンクレール２３は、下端縁部が各係合爪Ｓによって支持されると共に、上端縁部の略中央部がネジ止めされて取り付けられている。
【００３６】
また、各係合爪Ｓの上側の賞球タンク２１の左右端縁部に対向する背面部には、各取付ボス４６が上下方向に２個ずつ裏側方向に立設され、この各取付ボス４６にはネジ孔が形成されている。また、各係合爪Ｓの上側の賞球タンク２１の前面側端縁部２１Ａ（図５参照）よりも少し下側の部分に対向する背面部には、該前面側端縁部２１Ａの左右方向全幅に渡って対向するように各貫通孔４５が穿設されている。そして、賞球タンク２１は、後述のように左右端縁部が各取付ボス４６にネジ止めされて機構セット盤２０の背面部に取り付けられている（図６、図７参照）。また、機構セット盤２０の上方角部（図４中、右上角部）には、正面視略横長四角形のリブ部４７が立設され、このリブ部４７上に中継基板３９が配設される。
また、開口部２０Ａの右側背面部には、各取付ボス４８が裏側方向に立設され、この各取付ボス４８にはネジ孔が形成されている。そして、各取付ボス４８を介して賞球案内部２４や賞球ケース１０が取り付けられると共に、賞球案内通路部及び球抜き通路部を覆い、該賞球案内通路部及び球抜き通路部と協働して賞球が流れる通路を形成する賞球通路カバー部材４９がネジ止めされて取り付けられている。
【００３７】
次に、賞球タンク２１の概略構成について図５に基づいて説明する。
図５に示すように、賞球タンク２１は、平面視左右方向に長い略長四角形に形成される底面部５１と、該底面部５１の機構セット盤２０に当接されない左右側縁部及び後側縁部から上方に延出される平面視略コの字形の側壁部５２とから構成されている。また、側壁部５２の左右端縁部には外側方向に水平断面略コの字形の各取付部５３が形成され、機構セット盤２０の各取付ボス４６が内側に挿入されるように構成されている。また、各取付部５３の各取付ボス４６に対向する位置には、ネジが挿入される貫通孔が穿設され、機構セット盤２０の各取付ボス４６にネジ止めできるように構成されている。尚、この各取付部５３のネジ止め用の各貫通孔は、上下方向に長い長孔が好ましい。これにより、賞球タンク２１と各取付ボス４６との取り付け位置関係の位置精度を低くすることができ、製造コストの削減化及び組立作業効率の向上を図ることができる。
また、底面部５１の左端部（図５中、右端部）には、平面視略コの字形の切欠部５４が形成されている。
【００３８】
また、底面部５１及び各取付部５３の前面側端縁部２１Ａの左右方向全幅に渡って、下側方向に所定長さ（賞球タンク２１を機構セット盤２０に取り付けた場合に、機構セット盤２０の各貫通孔４５とタンクレール２３の上端部との間の高さまでの長さである。）延出された延出部５５が形成されている。また、この延出部５５の各貫通孔４５の下側内側面４５Ａ（図７参照）に対向する部分から前側方向に所定長さ（機構セット盤２０の厚さ寸法にほぼ等しい長さである。）延出後、更に略直角下側方向に延出部５５の下端縁部に対向する高さまで延出された嵌合部５６が設けられている。
【００３９】
次に、賞球タンク２１の取り付けについて図６及び図７に基づいて説明する。
図６及び図７に示すように、賞球タンク２１は、嵌合部５６を機構セット盤２０の各貫通孔４５に挿入し、該嵌合部５６と延出部５５とによって形成される側面視略コの字形の部分を各貫通孔４５の前後端面部を挟むように差し込み、該嵌合部５６の内側面を各貫通孔４５の下側内側面４５Ａに当接させると共に、賞球タンク２１の各取付部５３を機構セット盤２０の各取付ボス４６にはめ込む。そして、該賞球タンク２１は、各取付部５３の貫通孔にネジを挿通して、各取付ボス４６にネジ止めすることによって機構セット盤２０に取り付けられる。また、賞球タンク２１の前面側端縁部２１Ａは、機構セット盤２０の背面部に当接されている。従って、この賞球タンク２１は、機構セット盤２０の背面に各取付ボス４６を介してネジ止めにより取り付けられることによって、該機構セット盤２０の背面部と協働して上方に開口した略箱体を形成する。
また、賞球タンク２１の切欠部５４は、機構セット盤２０の背面部と協働して、タンクレール２３の左端部に連通する連通孔を形成する。そして、賞球タンク２１内に貯留されるパチンコ球が該連通孔を介してタンクレール２３の左端部に供給される。
【００４０】
ここで、賞球タンク２１は、貯留供給部材として機能する。また、機構セット盤２０は、機構セット部材として機能する。また、延出部５５及び嵌合部５６は、下側支持部を構成する。また、各貫通孔４５は、保持部及び第１貫通孔として機能する。また、嵌合部５６は、第１挿入部として機能する。また、延出部５５及び嵌合部５６は、嵌合部を構成する。
【００４１】
従って、第１実施形態に係るパチンコ機１では、賞球タンク２１は、該賞球タンク２１の前面側端縁部２１Ａの左右方向全幅に渡って下方に延出された延出部５５の前面部から前側方向に延出された嵌合部５６が、機構セット盤２０の各貫通孔４５に挿入され、各貫通孔４５の下側内側面４５Ａに当接された状態で、この延出部５５の下端縁部と嵌合部５６とによって機構セット盤２０の各貫通孔４５の両端面部を挟みこむように取り付けられる。
これにより、補給装置２２から賞球タンク２１にパチンコ球が補給された場合には、この賞球タンク２１内のパチンコ球の重量を各貫通孔４５の下側内側面４５Ａに当接される嵌合部５６を介して適当に分散させて支持でき、賞球タンク２１の長手方向の撓み変形量等を小さくすることができると共に、機構セット盤２０及び賞球タンク２１の耐久性の向上を図ることができる。また、延出部５５と嵌合部５６と延出部５５とによって形成される側面視略コの字形の部分が各貫通孔４５の両端面部を挟持するため、賞球タンク２１の前面側端縁部２１Ａと機構セット盤２０の背面部との間に隙間が形成されるのを確実に防止することができる。
【００４２】
また、賞球タンク２１の前側端縁部２１Ａに延出部５５及び嵌合部５６を設け、該嵌合部５６を各貫通孔４５に挿入する簡易な支持構造で該賞球タンク２１内のパチンコ球の重量を適当に分散させて支持できるため、製造コストの削減化及び組み立て作業の効率化を図ることができる。
更に、賞球タンク２１は、切欠部５４が形成される平面視左右方向に長い略長四角形の底面部５１と、この底面部５１の機構セット盤２０に対向しない三辺から上方に延出される水平視略コの字形の側壁部５２とから形成されるため、該賞球タンク２１を樹脂成形によって容易に形成することができ、製造コストの削減化を図ることができる。また、機構セット盤２０側の側壁部がないため、機構セット盤２０と賞球タンク２１との取り付け位置関係の位置精度を低くすることが可能となり、パチンコ機１の製造コストの削減化及び組立作業効率の向上を図ることができる。
【実施例２】
【００４３】
次に、第２実施形態に係るパチンコ機について図８及び図９に基づいて説明する。尚、上記第１実施形態に係るパチンコ機１と同一符号は、上記第１実施形態に係るパチンコ機１と同一あるいは相当部分を示すものである。
この第２実施形態に係るパチンコ機の概略構成は、第１実施形態に係るパチンコ機１の構成とほぼ同じ構成である。但し、第２実施形態に係るパチンコ機の賞球タンクの構成は、後述のように第１実施形態に係るパチンコ機１の賞球タンク２１の構成と異なっている。
【００４４】
ここで、第２実施形態に係るパチンコ機の賞球タンクの概略構成について図８及び図９に基づいて説明する。
図８及び図９に示すように、第２実施形態に係るパチンコ機６１の賞球タンク６２の概略構成は、第１実施形態に係るパチンコ機１の賞球タンク２１の構成とほぼ同じ構成であるが、該賞球タンク６２の前面側端縁部６２Ａの左右方向全幅に渡って、下側方向に所定長さ（賞球タンク６２を機構セット盤２０に取り付けた場合に、機構セット盤２０の各貫通孔４５の下側内側面４５Ａに対向する高さまでの長さである。）延出された延出部６３が形成されている点で異なっている。また、この延出部６３の下端縁部から前側方向に所定長さ（機構セット盤２０の厚さ寸法にほぼ等しい長さである。）延出後、更に略直角下側方向に延出された側面視略Ｌ字形の挿入部６４が設けられている。
【００４５】
そして、賞球タンク６２は、挿入部６４を機構セット盤２０の各貫通孔４５に挿入し、該挿入部６４を各貫通孔４５の下側内側面４５Ａに当接させると共に、賞球タンク２１の各取付部５３を機構セット盤２０の各取付ボス４６にはめ込む。そして、該賞球タンク２１は、各取付部５３の貫通孔にネジを挿通して、各取付ボス４６にネジ止めすることによって機構セット盤２０に取り付けられる。また、賞球タンク６２の前面側端縁部６２Ａは、機構セット盤２０の背面部に当接されている。従って、この賞球タンク６２は、機構セット盤２０の背面に各取付ボス４６を介してネジ止めにより取り付けられることによって、該機構セット盤２０の背面部と協働して上方に開口した略箱体を形成する。
また、賞球タンク６２の切欠部５４は、機構セット盤２０の背面部と協働して、タンクレール２３の左端部に連通する連通孔を形成する。そして、賞球タンク６２内に貯留されるパチンコ球が該連通孔を介してタンクレール２３の左端部に供給される。
【００４６】
ここで、賞球タンク６２は、貯留供給部材として機能する。また、機構セット盤２０は、機構セット部材として機能する。また、延出部６３及び挿入部６４は、下側支持部を構成する。また、各貫通孔４５は、保持部及び第１貫通孔として機能する。また、挿入部６４は、第１挿入部として機能する。
【００４７】
従って、第２実施形態に係るパチンコ機６１では、賞球タンク６２は、該賞球タンク６２の前面側端縁部６２Ａの左右方向全幅に渡って下方に延出された延出部６３の下端縁部から前側方向に延出された側面視略Ｌ字形の挿入部６４が、機構セット盤２０の各貫通孔４５に挿入され、各貫通孔４５の下側内側面４５Ａに当接された状態で取り付けられる。
これにより、補給装置２２から賞球タンク６２にパチンコ球が補給された場合には、この賞球タンク６２内のパチンコ球の重量を各貫通孔４５の下側内側面４５Ａに当接される挿入部６４を介して適当に分散させて支持でき、賞球タンク６２の長手方向の撓み変形量等を小さくすることができると共に、機構セット盤２０及び賞球タンク６２の耐久性の向上を図ることができる。また、賞球タンク６２内のパチンコ球の重量によって、側面視略Ｌ字形の挿入部６４の前面側部分が各貫通孔４５の前面側端面部に当接されるため、賞球タンク６２の前面側端縁部６２Ａと機構セット盤２０の背面部との間に隙間が形成されるのを確実に防止することができる。
【００４８】
また、賞球タンク６２の前面側端縁部６２Ａに延出部６３及び挿入部６４を設け、該挿入部６４を各貫通孔４５に挿入する簡易な支持構造で該賞球タンク６２内のパチンコ球の重量を適当に分散させて支持できるため、製造コストの削減化及び組み立て作業の効率化を図ることができる。
更に、賞球タンク６２は、切欠部５４が形成される平面視左右方向に長い略長四角形の底面部５１と、この底面部５１の機構セット盤２０に対向しない三辺から上方に延出される水平視略コの字形の側壁部５２とから形成されるため、該賞球タンク６２を樹脂成形によって容易に形成することができ、製造コストの削減化を図ることができる。また、機構セット盤２０側の側壁部がないため、機構セット盤２０と賞球タンク６２との取り付け位置関係の位置精度を低くすることが可能となり、パチンコ機６１の製造コストの削減化及び組立作業効率の向上を図ることができる。
【実施例３】
【００４９】
次に、第３実施形態に係るパチンコ機について図１０乃至図１３に基づいて説明する。尚、上記第１実施形態に係るパチンコ機１と同一符号は、上記第１実施形態に係るパチンコ機１と同一あるいは相当部分を示すものである。
図１０に示すように、この第３実施形態に係るパチンコ機７１の概略構成は、第１実施形態に係るパチンコ機１の構成とほぼ同じ構成である。但し、第３実施形態に係るパチンコ機７１の機構セット盤７２と賞球タンク７３の構成は、後述のように第１実施形態に係るパチンコ機１の機構セット盤２０と賞球タンク２１の構成と異なっている。
【００５０】
次に、機構セット盤７２の概略構成について図１１に基づいて説明する。
図１１に示すように、機構セット盤７２は、第１実施形態に係るパチンコ機１の機構セット盤２０とほぼ同じ構成であるが、各貫通孔４５に替えて、第１突出部としての各リブ部７５が背面部に立設されている点で異なっている。
この各リブ部７５は、賞球タンク７３の前面側端縁部７３Ａ（図１２参照）の左右方向全幅よりも少し広い左右方向の幅に渡って、該前面側端縁部７３Ａの下方の位置に、裏面側方向に所定高さ（賞球タンク７３の厚さ寸法の約２倍以上の高さ寸法が望ましい。）立設されている。また、この各リブ部７５には、機構セット盤７２の背面部から所定幅寸法（賞球タンク７３の厚さ寸法にほぼ等しい幅寸法が望ましい。）で上下方向に貫通する貫通孔７６が左右方向に長い水平視略横長四角形に穿設されている（図１３参照）。
【００５１】
次に、賞球タンク７３の概略構成について図１２に基づいて説明する。
図１２に示すように、賞球タンク７３は、平面視左右方向に長い略長四角形に形成される底面部７８と、該底面部７８の前面側端縁部７３Ａの左右方向全幅に渡って、下側方向に所定長さ（賞球タンク７３を機構セット盤７２に取り付けた場合に、機構セット盤７２の各リブ部７５の上端面までの長さである。）延出された延出部７９が形成されている。また、この延出部７９の下端縁部から前側方向に所定長さ（賞球タンク７３の厚さ寸法にほぼ等しい長さ以上であり、且つ、パチンコ球の半径寸法以下、即ち、約５．５ｍｍ以下の長さである。）延出後、更に略直角下側方向に延出された側面視略Ｌ字形の挿入部８０が設けられている。
【００５２】
また、底面部７８の左右側縁部及び後側縁部から上方に延出される平面視略コの字形の側壁部８１が形成されている。また、この側壁部８１の左右前面側端縁部には、挿入部８０の前面部と同一面を形成するように、外側方向に水平断面略コの字形の各取付部８３が形成され、機構セット盤７２の各取付ボス４６が内側に挿入されるように構成されている。また、各取付部８３の各取付ボス４６に対向する位置には、ネジが挿入される貫通孔が穿設され、機構セット盤７２の各取付ボス４６にネジ止めできるように構成されている。尚、この各取付部８３のネジ止め用の各貫通孔は、上下方向に長い長孔が好ましい。これにより、賞球タンク７３と各取付ボス４６との取り付け位置関係の位置精度を低くすることができ、製造コストの削減化及び組立作業効率の向上を図ることができる。また、各取付部８３の前面側下端縁部は、下側方向に延出されて、挿入部８０の一部を形成している。
また、底面部７８の左端部（図１２中、右端部）には、平面視略コの字形の切欠部８４が形成されている。
【００５３】
次に、賞球タンク７３の取り付けについて図１３に基づいて説明する。
図１３に示すように、賞球タンク７３は、挿入部８０を機構セット盤７２の各リブ部７５に穿設される各貫通孔７６に挿入し、下方に延出された延出部７９の下端縁部を各リブ部７５に当接させると共に、賞球タンク７３の各取付部８３を機構セット盤７２の各取付ボス４６にはめ込む。そして、該賞球タンク７３は、各取付部８３の貫通孔にネジを挿通して、各取付ボス４６にネジ止めすることによって機構セット盤７２に取り付けられる。また、賞球タンク７３の挿入部８０及び各取付部８３の前面部は、機構セット盤７２の背面部に当接されている。従って、この賞球タンク７３は、機構セット盤７２の背面に各取付ボス４６を介してネジ止めにより取り付けられることによって、該機構セット盤７２の背面部と協働して上方に開口した略箱体を形成する。
また、賞球タンク７３の切欠部８４は、機構セット盤７２の背面部と協働して、タンクレール２３の左端部に連通する連通孔を形成する。そして、賞球タンク７３内に貯留されるパチンコ球が該連通孔を介してタンクレール２３の左端部に供給される。
【００５４】
ここで、賞球タンク７３は、貯留供給部材として機能する。また、機構セット盤７２は、機構セット部材として機能する。また、延出部７９及び挿入部８０は、下側支持部を構成する。また、各リブ部７５及び各貫通孔７６は、保持部として機能する。また、各リブ部７５は、第１突出部として機能する。また、各貫通孔７６は、第２貫通孔として機能する。また、延出部７９及び挿入部８０は、第２挿入部を構成する。
【００５５】
従って、第３実施形態に係るパチンコ機７１では、賞球タンク７３は、該賞球タンク７３の前面側端縁部７３Ａの左右方向全幅に渡って下方に延出された延出部７９の下端縁部から前側方向に延出された側面視略Ｌ字形の挿入部８０が、機構セット盤７２の各リブ部７５に穿設される各貫通孔７６に挿入され、この延出部７９の下端縁部が各リブ部７５の上端面部に当接された状態で取り付けられる。
これにより、補給装置２２から賞球タンク７３にパチンコ球が補給された場合には、この賞球タンク７３内のパチンコ球の重量を各リブ部７５に当接される延出部７９を介して適当に分散させて支持でき、賞球タンク７３の長手方向の撓み変形量等を小さくすることができると共に、機構セット盤７２及び賞球タンク７３の耐久性の向上を図ることができる。また、賞球タンク７３の挿入部８０が機構セット盤７２の各貫通孔７６に挿入されて、該機構セット盤７２の背面部に当接されるため、賞球タンク７３の前面側端縁部７３Ａ及び挿入部８０と機構セット盤７２の背面部との間に隙間が形成されるのを確実に防止することができる。
【００５６】
また、賞球タンク７３の前面側端縁部７３Ａに延出部７９及び挿入部８０を設け、該挿入部８０を機構セット盤７２の各リブ部７５に穿設される各貫通孔７６に挿入する簡易な支持構造で該賞球タンク７３内のパチンコ球の重量を適当に分散させて支持できるため、製造コストの削減化及び組み立て作業の効率化を図ることができる。
更に、賞球タンク７３は、切欠部８４が形成される平面視左右方向に長い略長四角形の底面部７８と、この底面部７８の機構セット盤７２に対向しない三辺から上方に延出される水平視略コの字形の側壁部８１とから形成されるため、該賞球タンク７３を樹脂成形によって容易に形成することができ、製造コストの削減化を図ることができる。また、機構セット盤７２側の側壁部がないため、機構セット盤７２と賞球タンク７３との取り付け位置関係の位置精度を低くすることが可能となり、パチンコ機７１の製造コストの削減化及び組立作業効率の向上を図ることができる。
【実施例４】
【００５７】
次に、第４実施形態に係るパチンコ機について図１４に基づいて説明する。尚、上記第３実施形態に係るパチンコ機７１と同一符号は、上記第３実施形態に係るパチンコ機７１と同一あるいは相当部分を示すものである。
この第４実施形態に係るパチンコ機の概略構成は、第３実施形態に係るパチンコ機７１の構成とほぼ同じ構成である。但し、第４実施形態に係るパチンコ機の機構セット盤の各リブ部の構成は、後述のように第３実施形態に係るパチンコ機７１の機構セット盤７２の各リブ部７５の構成と異なっている。
【００５８】
図１４に示すように、第４実施形態に係るパチンコ機９１の機構セット盤９２の概略構成は、第３実施形態に係るパチンコ機７１の機構セット盤７２の構成とほぼ同じ構成であるが、各リブ部７５に替えて、各リブ部９３が背面部に立設されている点で異なっている。
この各リブ部９３は、第３実施形態に係る各リブ部７５の下端面部に相当する位置から、賞球タンク７３の前面側端縁部７３Ａ（図１２参照）の左右方向全幅よりも少し広い左右方向の幅に渡って、裏面側方向に所定高さ（賞球タンク７３の厚さ寸法にほぼ等しい高さ寸法が望ましい。）立設された各突出部９４と、該各突出部９４の後側端縁部から略直角上方向に所定高さ延出される止め部９５とから構成されている。
【００５９】
そして、賞球タンク７３は、該賞球タンク７３の各挿入部８０を機構セット盤９２の背面部と各止め部９５との間に挿入し、該挿入部８０の下端縁部を各突出部９４に当接させると共に、賞球タンク７３の各取付部８３を機構セット盤７２の各取付ボス４６にはめ込む。そして、該賞球タンク７３は、各取付部８３の貫通孔にネジを挿通して、各取付ボス４６にネジ止めすることによって機構セット盤９２に取り付けられる。また、賞球タンク７３の各挿入部８０及び各取付部８３の前面部は、機構セット盤９２の背面部に当接されている。従って、この賞球タンク７３は、機構セット盤９２の背面に各取付ボス４６を介してネジ止めにより取り付けられることによって、該機構セット盤９２の背面部と協働して上方に開口した略箱体を形成する。
また、賞球タンク７３の切欠部８４は、機構セット盤９２の背面部と協働して、タンクレール２３の左端部に連通する連通孔を形成する。そして、賞球タンク７３内に貯留されるパチンコ球が該連通孔を介してタンクレール２３の左端部に供給される。
【００６０】
ここで、賞球タンク７３は、貯留供給部材として機能する。また、機構セット盤９２は、機構セット部材として機能する。また、延出部７９及び挿入部８０は、下側支持部及び第１延出部を構成する。また、各リブ部９３は、保持部として機能する。また、各突出部９４は、第２突出部として機能する。また、各止め部９５は、第１止め部として機能する。
【００６１】
従って、第４実施形態に係るパチンコ機９１では、賞球タンク７３の前面側端縁部７３Ａの左右方向全幅に渡って下方に延出された延出部７９の下端縁部から前側方向に延出された側面視略Ｌ字形の挿入部８０が、機構セット盤９２の背面部と各止め部９５との間に挿入されて、挟まれた状態になると共に、この挿入部８０の下端縁部が各突出部９４の上面部に当接された状態で取り付けられる。
これにより、補給装置２２から賞球タンク７３にパチンコ球が補給された場合には、この賞球タンク７３内のパチンコ球の重量を各突出部９４に当接される挿入部８０を介して適当に分散させて支持でき、賞球タンク７３の長手方向の撓み変形量等を小さくすることができると共に、機構セット盤９２及び賞球タンク７３の耐久性の向上を図ることができる。また、賞球タンク７３の挿入部８０が、機構セット盤９２の背面部と各止め部９５との間に挟持されるため、賞球タンク７３の前面側端縁部７３Ａ及び挿入部８０と機構セット盤７２の背面部との間に隙間が形成されるのを確実に防止することができる。
【００６２】
また、賞球タンク７３の前面側端縁部７３Ａに延出部７９及び挿入部８０を設け、該挿入部８０を機構セット盤９２の各突出部９４と各止め部９５により構成される溝部に挿入する簡易な支持構造で該賞球タンク７３内のパチンコ球の重量を適当に分散させて支持できるため、製造コストの削減化及び組み立て作業の効率化を図ることができる。
更に、賞球タンク７３は、切欠部８４が形成される平面視左右方向に長い略長四角形の底面部７８と、この底面部７８の機構セット盤９２に対向しない三辺から上方に延出される水平視略コの字形の側壁部８１とから形成されるため、該賞球タンク７３を樹脂成形によって容易に形成することができ、製造コストの削減化を図ることができる。また、機構セット盤９２側の側壁部がないため、機構セット盤９２と賞球タンク７３との取り付け位置関係の位置精度を低くすることが可能となり、パチンコ機９１の製造コストの削減化及び組立作業効率の向上を図ることができる。
【実施例５】
【００６３】
次に、第５実施形態に係るパチンコ機について図１５に基づいて説明する。尚、上記第４実施形態に係るパチンコ機９１と同一符号は、上記第４実施形態に係るパチンコ機９１と同一あるいは相当部分を示すものである。
この第５実施形態に係るパチンコ機の概略構成は、第４実施形態に係るパチンコ機９１の構成とほぼ同じ構成である。但し、第５実施形態に係るパチンコ機の機構セット盤の各リブ部の構成と賞球タンクの挿入部の構成は、後述のように第４実施形態に係るパチンコ機９１の機構セット盤９２の各リブ部９３の構成と賞球タンク７３の挿入部８０の構成と異なっている。
【００６４】
図１５に示すように、第５実施形態に係るパチンコ機１０１の機構セット盤１０２の概略構成は、第４実施形態に係るパチンコ機９１の機構セット盤９２の構成とほぼ同じ構成であるが、各リブ部９３に替えて、各突出部１０３が背面部に立設されている点で異なっている。
この各突出部１０３は、第４実施形態に係る各突出部９４を更に裏面側方向に所定長さ延出して構成されている。望ましくは、各突出部１０３の背面部からの高さ寸法は、第４実施形態に係る各突出部９４の高さ寸法の約２倍以上が好ましい。
【００６５】
また、第５実施形態に係るパチンコ機１０１の賞球タンク１０４の概略構成は、第４実施形態に係るパチンコ機９１の賞球タンク７３の構成とほぼ同じ構成であるが、挿入部８０に替えて、各当接部１０５が設けられている点で異なっている。
この各当接部１０５は、第４実施形態に係る各挿入部８０の下端縁部から更に略直角後側方向（図１５中、右側方向）に所定長さ（賞球タンク１０４の厚さ寸法の２倍以上の長さが望ましい。）延出されて形成され、側面視略コの字形に形成されている。
【００６６】
そして、賞球タンク１０４は、該賞球タンク１０４の各当接部１０５を機構セット盤１０２の背面部に立設される各突出部１０３の上面部に当接させると共に、賞球タンク１０４の各取付部８３を機構セット盤１０２の各取付ボス４６にはめ込む。そして、該賞球タンク１０４は、各取付部８３の貫通孔にネジを挿通して、各取付ボス４６にネジ止めすることによって機構セット盤１０２に取り付けられる。また、賞球タンク１０４の各当接部１０５及び各取付部８３の前面部は、機構セット盤１０２の背面部に当接されている。従って、この賞球タンク１０４は、機構セット盤１０２の背面に各取付ボス４６を介してネジ止めにより取り付けられることによって、該機構セット盤１０２の背面部と協働して上方に開口した略箱体を形成する。
また、賞球タンク１０４の切欠部８４は、機構セット盤１０２の背面部と協働して、タンクレール２３の左端部に連通する連通孔を形成する。そして、賞球タンク１０４内に貯留されるパチンコ球が該連通孔を介してタンクレール２３の左端部に供給される。
【００６７】
ここで、賞球タンク１０４は、貯留供給部材として機能する。また、機構セット盤１０２は、機構セット部材として機能する。また、延出部７９及び当接部１０５は、下側支持部及び第１延出部を構成する。また、各突出部１０３は、保持部及び第２突出部として機能する。
【００６８】
従って、第５実施形態に係るパチンコ機１０１では、賞球タンク１０４の前面側端縁部７３Ａの左右方向全幅に渡って下方に延出された延出部７９の下端縁部から延出された側面視略コの字形の当接部１０５の下端面が、機構セット盤１０２の背面部に立設された突出部１０３の上面部に当接された状態で取り付けられる。
これにより、補給装置２２から賞球タンク１０４にパチンコ球が補給された場合には、この賞球タンク１０４内のパチンコ球の重量を各突出部１０３に当接される各当接部１０５を介して適当に分散させて支持でき、賞球タンク１０４の長手方向の撓み変形量等を小さくすることができると共に、機構セット盤１０２及び賞球タンク１０４の耐久性の向上を図ることができる。
【００６９】
また、賞球タンク１０４の前面側端縁部７３Ａに延出部７９及び当接部１０５を設け、該当接部１０５を機構セット盤１０２の各突出部１０３によって支持する簡易な支持構造で該賞球タンク１０４内のパチンコ球の重量を適当に分散させて支持できるため、製造コストの削減化及び組み立て作業の効率化を図ることができる。
更に、賞球タンク１０４は、切欠部８４が形成される平面視左右方向に長い略長四角形の底面部７８と、この底面部７８の機構セット盤１０２に対向しない三辺から上方に延出される水平視略コの字形の側壁部８１とから形成されるため、該賞球タンク１０４を樹脂成形によって容易に形成することができ、製造コストの削減化を図ることができる。また、機構セット盤１０２側の側壁部がないため、機構セット盤１０２と賞球タンク１０４との取り付け位置関係の位置精度を低くすることが可能となり、パチンコ機１０１の製造コストの削減化及び組立作業効率の向上を図ることができる。
【実施例６】
【００７０】
次に、第６実施形態に係るパチンコ機について図１６に基づいて説明する。尚、上記第２実施形態に係るパチンコ機６１と同一符号は、上記第２実施形態に係るパチンコ機６１と同一あるいは相当部分を示すものである。
この第６実施形態に係るパチンコ機の概略構成は、第２実施形態に係るパチンコ機６１の構成とほぼ同じ構成である。但し、第６実施形態に係るパチンコ機の機構セット盤の構成と賞球タンクの構成は、後述のように第２実施形態に係るパチンコ機６１の機構セット盤２０の構成と賞球タンク６２の構成と異なっている。
【００７１】
図１６に示すように、第６実施形態に係るパチンコ機１１１の機構セット盤１１２の概略構成は、第２実施形態に係るパチンコ機６１の機構セット盤２０の構成とほぼ同じ構成であるが、各貫通孔４５に替えて、各保持部１１３が設けられている点で異なっている。
この保持部１１３は、第２実施形態に係る機構セット盤２０の各貫通孔４５の上端面部に相当する位置から、パチンコ機１１１の前面側方向に所定長さ（機構セット盤１１２の厚さ寸法の２倍以上の長さが望ましい。）延出後、略直角下側方向に所定長さ（図１６中、長さ寸法Ｈ３である。）延出し、再度、略直角後側方向に所定長さ（機構セット盤１１２の各取付ボス４６が立設される背面部よりも、少なくとも賞球タンク１１４の厚さ寸法以上後側方向に突出する長さ寸法が望ましい。）延出して形成されて、パチンコ機１１１の前面側方向に突出する断面視略コの字形の溝部１１５と、該溝部１１５の後側下端縁部から略直角上方向に所定高さ（図１６中、長さ寸法Ｈ２である。）延出される止め部１１６とから構成されている。また、この止め部１１６の上端面と保持部１１３の内側天井面とによって、所定高さ寸法（図１６中、高さ寸法Ｈ１である。）の挿入口が形成される。
【００７２】
また、第６実施形態に係るパチンコ機１１１の賞球タンク１１４の概略構成は、第２実施形態に係るパチンコ機６１の賞球タンク６２の構成とほぼ同じ構成であるが、各延出部６３及び挿入部６４に替えて、各下側支持部１１７が設けられている点で異なっている。
この各下側支持部１１７は、前面側端縁部６２Ａの左右方向全幅に渡る部分と、左側（図８中、右側）の取付部５３の前面側下端縁部とから、下側方向に所定長さ（図１６中、長さ寸法Ｌ１である。）延出された延出部１１８と、この延出部１１８の下端縁部から略直角前側方向に所定長さ（溝部１１５の前後方向の深さ寸法よりも短い寸法である。）延出された前方延出部１１９と、この前方延出部１１９の前端縁部から略直角下側方向に所定長さ（図１６中、長さ寸法Ｌ２である。）延出された下方延出部１２０と、この下方延出部１２０の下端縁部から略直角後側方向に所定長さ（延出部１１８の後側面より後側方向に飛び出ない長さ寸法が望ましい。）延出された後方延出部１２１とから構成されている。よって、前方延出部１１９、下方延出部１２０及び後方延出部１２１によって、パチンコ機１１１の前面側方向に突出する断面視略コの字形が形成される。
【００７３】
ここで、各寸法Ｈ１、Ｈ２、Ｈ３、Ｌ１、Ｌ２の間には、以下の第１条件及び第２条件が成立するように構成されている。
第１条件：Ｈ１＞Ｌ２
第２条件：Ｈ３＜（Ｌ１＋Ｌ２）
この第１条件が成立することによって、保持部１１３内に、賞球タンク１１４の前方延出部１１９、下方延出部１２０を挿入することが可能となる。また、この第２条件が成立することによって、下側支持部１１７の下端面が保持部１１３の内側底面部に当接した場合に、賞球タンク１１４の前面側端縁部６２Ａが、機構セット盤１１２の背面部に当接した状態を維持することができる。
また、第３条件として、Ｈ２＞Ｌ２の関係が成立するように構成してもよい。これにより、保持部１１３内の前方延出部１１９及び後方延出部１２１の後側端面部を止め部１１６に確実に当接することができる。
【００７４】
そして、賞球タンク１１４は、下側支持部１１７の前方延出部１１９、下方延出部１２０及び後方延出部１２１を機構セット盤１１２の保持部１１３内に挿入し、該下側支持部１１７の後方延出部１２１の下端面を保持部１１３の溝部１１５の内側底面部に当接させると共に、賞球タンク１１４の各取付部５３を機構セット盤１１２の各取付ボス４６にはめ込む。そして、該賞球タンク１１４は、各取付部５３の貫通孔にネジを挿通して、各取付ボス４６にネジ止めすることによって機構セット盤１１２に取り付けられる。また、賞球タンク１１４の前面側端縁部６２Ａは、機構セット盤１１２の背面部に当接されている。従って、この賞球タンク１１４は、機構セット盤１１２の背面に各取付ボス４６を介してネジ止めにより取り付けられることによって、該機構セット盤１１２の背面部と協働して上方に開口した略箱体を形成する。
また、賞球タンク１１４の切欠部５４は、機構セット盤１１２の背面部と協働して、タンクレール２３の左端部に連通する連通孔を形成する。そして、賞球タンク１１４内に貯留されるパチンコ球が該連通孔を介してタンクレール２３の左端部に供給される。
【００７５】
ここで、賞球タンク１１４は、貯留供給部材として機能する。また、機構セット盤１１２は、機構セット部材として機能する。また、溝部１１５は、溝部として機能する。また、止め部１１６は、第２止め部として機能する。また、延出部１１８は、第２延出部として機能する。また、前方延出部１１９は、第３延出部として機能する。また、下方延出部１２０は、第４延出部として機能する。
【００７６】
従って、第６実施形態に係るパチンコ機１１１では、賞球タンク１１４は、該賞球タンク１１４の前面側端縁部６２Ａの左右方向全幅に渡って下方に延出された下側支持部１１７の前方延出部１１９、下方延出部１２０及び後方延出部１２１が機構セット盤１１２の保持部１１３内に挿入されて、溝部１１５と止め部１１６との間に挟まれた状態になると共に、この後方延出部１２１が溝部１１５の内側底面部に当接された状態で取り付けられる。
これにより、補給装置２２から賞球タンク１１４にパチンコ球が補給された場合には、この賞球タンク１１４内のパチンコ球の重量を溝部１１５の内側底面部に当接される下側支持部１１７の下端部を介して適当に分散させて支持でき、賞球タンク１１４の長手方向の撓み変形量等を小さくすることができると共に、機構セット盤１１２及び賞球タンク１１４の耐久性の向上を図ることができる。また、賞球タンク１１４の下側支持部１１７の前方延出部１１９、下方延出部１２０及び後方延出部１２１が、機構セット盤１１２の溝部１１５と止め部１１６との間に挟持されるため、賞球タンク１１４の前面側端縁部６２Ａと機構セット盤１１２の背面部との間に隙間が形成されるのを確実に防止することができる。
【００７７】
また、賞球タンク１１４の前面側端縁部６２Ａに下側支持部１１７を設け、該下側支持部１１７を機構セット盤１１２の溝部１１５と止め部１１６により構成される保持部１１３内に挿入する簡易な支持構造で該賞球タンク１１４内のパチンコ球の重量を適当に分散させて支持できるため、製造コストの削減化及び組み立て作業の効率化を図ることができる。
更に、賞球タンク１１４は、切欠部５４が形成される平面視左右方向に長い略長四角形の底面部５１と、この底面部５１の機構セット盤１１２に対向しない三辺から上方に延出される水平視略コの字形の側壁部５２とから形成されるため、該賞球タンク１１４を樹脂成形によって容易に形成することができ、製造コストの削減化を図ることができる。また、機構セット盤１１２側の側壁部がないため、機構セット盤１１２と賞球タンク１１４との取り付け位置関係の位置精度を低くすることが可能となり、パチンコ機１１１の製造コストの削減化及び組立作業効率の向上を図ることができる。
【実施例７】
【００７８】
次に、第７実施形態に係るパチンコ機について図１７に基づいて説明する。尚、上記第６実施形態に係るパチンコ機１１１と同一符号は、上記第６実施形態に係るパチンコ機１１１と同一あるいは相当部分を示すものである。
この第７実施形態に係るパチンコ機の概略構成は、第６実施形態に係るパチンコ機１１１の構成とほぼ同じ構成である。但し、第７実施形態に係るパチンコ機の賞球タンクの構成は、後述のように第６実施形態に係るパチンコ機１１１の賞球タンク１１４の構成と異なっている。
【００７９】
図１７に示すように、第７実施形態に係るパチンコ機１３１の賞球タンク１３２の概略構成は、第６実施形態に係るパチンコ機１１１の賞球タンク１１４の構成とほぼ同じ構成であるが、各下側支持部１１７に替えて、各下側支持部１３３が設けられている点で異なっている。
この各下側支持部１３３は、前面側端縁部６２Ａの左右方向全幅に渡る部分と、左側（図８中、右側）の取付部５３の前面側下端縁部とから、下側方向に所定長さ延出された延出部１３５と、この延出部１３５の下端縁部から略直角前側方向に所定長さ（溝部１１５の前後方向の深さ寸法よりも短い寸法である。）延出された前方延出部１３６と、この前方延出部１３６の前端縁部から略直角下側方向に所定長さ（止め部１１６の上下方向高さ寸法よりも長い寸法である。）延出された下方延出部１３７とから構成されている。
【００８０】
そして、賞球タンク１３２は、下側支持部１３３の前方延出部１３６及び下方延出部１３７を機構セット盤１１２の保持部１１３内に挿入し、該下側支持部１３３の下方延出部１３７の下端面を保持部１１３の溝部１１５の内側底面部に当接させると共に、賞球タンク１３２の各取付部５３を機構セット盤１１２の各取付ボス４６にはめ込む。そして、該賞球タンク１３２は、各取付部５３の貫通孔にネジを挿通して、各取付ボス４６にネジ止めすることによって機構セット盤１１２に取り付けられる。また、賞球タンク１３２の前面側端縁部６２Ａは、機構セット盤１１２の背面部に当接されている。従って、この賞球タンク１３２は、機構セット盤１１２の背面に各取付ボス４６を介してネジ止めにより取り付けられることによって、該機構セット盤１１２の背面部と協働して上方に開口した略箱体を形成する。
また、賞球タンク１３２の切欠部５４は、機構セット盤１１２の背面部と協働して、タンクレール２３の左端部に連通する連通孔を形成する。そして、賞球タンク１３２内に貯留されるパチンコ球が該連通孔を介してタンクレール２３の左端部に供給される。
【００８１】
ここで、賞球タンク１３２は、貯留供給部材として機能する。また、機構セット盤１１２は、機構セット部材として機能する。また、溝部１１５は、溝部として機能する。また、止め部１１６は、第２止め部として機能する。また、延出部１３５は、第２延出部として機能する。また、前方延出部１３６は、第３延出部として機能する。また、下方延出部１３７は、第４延出部として機能する。
【００８２】
従って、第７実施形態に係るパチンコ機１３１では、賞球タンク１３２の前面側端縁部６２Ａの左右方向全幅に渡って下方に延出された下側支持部１３３の前方延出部１３６及び下方延出部１３７が機構セット盤１１２の保持部１１３内に挿入されて、この下方延出部１３７が溝部１１５の内側底面部に当接された状態で取り付けられる。
これにより、補給装置２２から賞球タンク１３２にパチンコ球が補給された場合には、この賞球タンク１３２内のパチンコ球の重量を溝部１１５の内側底面部に当接される下側支持部１３３の下端部を介して適当に分散させて支持でき、賞球タンク１３２の長手方向の撓み変形量等を小さくすることができると共に、機構セット盤１１２及び賞球タンク１３２の耐久性の向上を図ることができる。
【００８３】
また、賞球タンク１３２の前面側端縁部６２Ａに下側支持部１３３を設け、該下側支持部１３３を機構セット盤１１２の溝部１１５と止め部１１６により構成される保持部１１３内に挿入する簡易な支持構造で該賞球タンク１３２内のパチンコ球の重量を適当に分散させて支持できるため、製造コストの削減化及び組み立て作業の効率化を図ることができる。
更に、賞球タンク１３２は、切欠部５４が形成される平面視左右方向に長い略長四角形の底面部５１と、この底面部５１の機構セット盤１１２に対向しない三辺から上方に延出される水平視略コの字形の側壁部５２とから形成されるため、該賞球タンク１３２を樹脂成形によって容易に形成することができ、製造コストの削減化を図ることができる。また、機構セット盤１１２側の側壁部がないため、機構セット盤１１２と賞球タンク１３２との取り付け位置関係の位置精度を低くすることが可能となり、パチンコ機１３１の製造コストの削減化及び組立作業効率の向上を図ることができる。
【００８４】
尚、本発明は、前記第１実施形態乃至第７実施形態に限定されるものではなく、本発明の要旨を逸脱しない範囲内で種々の改良、変形が可能であることは勿論である。
【産業上の利用可能性】
【００８５】
本発明は、パチンコ遊技機、回動式遊技機、じゃん球遊技機など、入賞により所定個数の賞球が払い出される遊技機に適用できる。
【図面の簡単な説明】
【００８６】
【図１】第１実施形態に係るパチンコ機全体を示した背面図である。
【図２】第１実施形態に係るパチンコ機全体を示した側面図である。
【図３】第１実施形態に係るパチンコ機の機構セット盤に賞球タンク等を取り付けた状態を示す正面図である。
【図４】第１実施形態に係るパチンコ機の機構セット盤から賞球タンクやタンクレール等を取り除くと共に、賞球通路カバー部材を取り除いた状態を示す斜視図である。
【図５】第１実施形態に係るパチンコ機の賞球タンクの斜視図である。
【図６】第１実施形態に係るパチンコ機の賞球タンクの取り付け状態を示す図で、図１の一点鎖線のＸ１−Ｘ１矢視方向から見た一部切欠側面図である。
【図７】図６のＡ部拡大図である。
【図８】第２実施形態に係るパチンコ機の賞球タンクの斜視図である。
【図９】第２実施形態に係るパチンコ機の賞球タンクの取り付け状態を示す要部拡大断面図である。
【図１０】第３実施形態に係るパチンコ機全体を示した背面図である。
【図１１】第３実施形態に係るパチンコ機の機構セット盤から賞球タンクやタンクレール等を取り除くと共に、賞球通路カバー部材を取り除いた状態を示す斜視図である。
【図１２】第３実施形態に係るパチンコ機の賞球タンクの斜視図である。
【図１３】第３実施形態に係るパチンコ機の賞球タンクの取り付け状態を示す図で、図１０の一点鎖線のＸ２−Ｘ２矢視方向から見た要部拡大断面図である。
【図１４】第４実施形態に係るパチンコ機の賞球タンクの取り付け状態を示す要部拡大断面図である。
【図１５】第５実施形態に係るパチンコ機の賞球タンクの取り付け状態を示す要部拡大断面図である。
【図１６】第６実施形態に係るパチンコ機の賞球タンクの取り付け状態を示す要部拡大断面図である。
【図１７】第７実施形態に係るパチンコ機の賞球タンクの取り付け状態を示す要部拡大断面図である。
【符号の説明】
【００８７】
１、６１、７１、９１、１０１、１１１、１３１    パチンコ機
２０、７２、９２、１０２、１１２                機構セット盤
２１、６２、７３、１０４、１１４、１３２        賞球タンク
２１Ａ、６２Ａ、７３Ａ                          前面側端縁部
２２                                            補給装置
２３                                            タンクレール
４５、７６                                      貫通孔
４６                                            取付ボス
５１、７８                                      底面部
５２、８１                                      側壁部
５３、８３                                      取付部
５５、６３、７９、１１８、１３５                延出部
５６                                            嵌合部
６４、８０                                      挿入部
７５、９３                                      リブ部
９４、１０３                                    突出部
９５、１１６                                    止め部
１０５                                          当接部
１１３                                          保持部
１１５                                          溝部
１１７、１３３                                  下側支持部
１１９、１３６                                  前方延出部
１２０、１３７                                  下方延出部
１２１                                          後方延出部
【図１】
2005065802.tif 000003
【図２】
2005065802.tif 000004
【図３】
2005065802.tif 000005
【図４】
2005065802.tif 000006
【図５】
2005065802.tif 000007
【図６】
2005065802.tif 000008
【図７】
2005065802.tif 000009
【図８】
2005065802.tif 000010
【図９】
2005065802.tif 000011
【図１０】
2005065802.tif 000012
【図１１】
2005065802.tif 000013
【図１２】
2005065802.tif 000014
【図１３】
2005065802.tif 000015
【図１４】
2005065802.tif 000016
【図１５】
2005065802.tif 000017
【図１６】
2005065802.tif 000018
【図１７】
2005065802.tif 000019